(57)【要約】【課題】本発明は、導光板上に色むらが生じることを抑制できるバックライト装置を提供する。【解決手段】バックライト装置２０は、複数のＬＥＤパッケージ３２と、導光板２２とを備える。ＬＥＤパッケージ３２は、第３のハウジング３３と、赤色ＬＥＤ３４と、青色ＬＥＤ３５と、緑色ＬＥＤ３６とを備える。ＬＥＤ３４，３５，３６は、第３のハウジング３３内に収容されるとともに第３のハウジング３３の底壁部２６に配置される。導光板２２の入射面２８に対するＬＥＤ３４，３５，３６の配置の少なくとも一部は、互いに隣り合うＬＥＤパッケージ３２と異なる。【選択図】図４
2008186802.tif 000002
【特許請求の範囲】
【請求項１】
複数のパッケージと、
前記パッケージから照射される光が入射する入射面と、前記入射面から入射した光を外部へ向かって照射する出射面とを備える導光板と、
を具備するバックライト装置であって、
前記パッケージは、
周囲を囲む縦壁を有する筒状部と、前記筒状部の一端に設けられる底壁部と、前記筒状部の他端に設けられて当該筒状部の内部から外部へ光が通過する通過部とを具備するパッケージ用ハウジングと、
前記パッケージ用ハウジング内に収容されるとともに前記底壁部に配置されて発光する複数の光源と、
を具備し、
前記複数のパッケージは、一方向に並んで複数設置され、
前記入射面に対する前記光源の配置の少なくとも一部は、互いに隣り合うパッケージと異なることを特徴とするバックライト装置。
【請求項２】
前記複数の光源は、少なくとも、赤色を発光する光源と、緑色を発光する光源と、青色を発光する光源とを具備することを特徴とする請求項１に記載のバックライト装置。
【請求項３】
前記複数の光源は、所定の配置パターンにしたがって前記底壁部に配置され、
前記各パッケージは、隣り合うパッケージの姿勢に対してパッケージ用ハウジングの軸心線方向周りに相対的に回転する姿勢で設置されることを特徴とする請求項１に記載のバックライト装置。
【請求項４】
前記各パッケージは、複数のパッケージが並ぶ方向のうち一方向に沿って隣りのパッケージの姿勢に対して前記軸心線回りに一定方向に３０×ｎ（ｎは、１，２，３，４，５，６，７，８，９，１０，１１）度回転した姿勢であることを特徴とする請求項３に記載のバックライト装置。
【請求項５】
液晶表示装置用ハウジングと、
前記液晶表示装置用ハウジングに収容される液晶パネルと、
前記液晶表示装置用ハウジングに収容されるとともに、複数のパッケージと、前記パッケージから照射される光が入射する入射面と前記入射面から入射した光を外部へ向かって照射する出射面とを備える導光板とを具備し、前記複数のパッケージが一方向に並んで複数設置されるバックライト装置と、
を具備し、
前記パッケージは、
周囲を囲む縦壁を有する筒状部と、前記筒状部の一端に設けられる底壁部と、前記筒状部の他端に設けられて当該筒状部の内部から外部へ光が通過する通過部とを具備するパッケージ用ハウジングと、
前記パッケージ用ハウジング内に収容されるとともに前記底壁部に配置されて発光する複数の光源と、
を具備し、
前記入射面に対する前記光源の配置の少なくとも一部は、互いに隣り合うパッケージと異なることを特徴とする液晶表示装置。
【請求項６】
前記複数の光源は、少なくとも、赤色を発光する光源と、緑色を発光する光源と、青色を発光する光源とを具備することを特徴とする請求項５に記載の液晶表示装置。
【請求項７】
前記複数の光源は、所定の配置パターンにしたがって前記底壁部に配置され、
前記各パッケージは、隣り合うパッケージの姿勢に対してパッケージ用ハウジングの軸心線方向周りに相対的に回転する姿勢で設置されることを特徴とする請求項５に記載の液晶表示装置。
【請求項８】
前記各パッケージは、複数のパッケージが並ぶ方向のうち一方向に沿って隣りのパッケージの姿勢に対して前記軸心線回りに一定方向に３０×ｎ（ｎは、１，２，３，４，５，６，７，８，９，１０，１１）度回転した姿勢であることを特徴とする請求項７に記載の液晶表示装置。
【発明の詳細な説明】
【技術分野】
【０００１】
本発明は、例えば液晶ディスプレイなどの液晶表示装置に用いられるサイドライト型のバックライト装置に関する。また、バックライト装置を備える液晶表示装置に関する。
【背景技術】
【０００２】
従来、例えばポータブルコンピュータなどの電子機器のディスプレイには、携帯性を考慮して液晶ディスプレイが用いられている。液晶ディスプレイは、非発光の表示デバイスである液晶パネルを用いている。このため、液晶ディスプレイ装置は、液晶パネルを照射するバックライト装置を備えている。
【０００３】
携帯性が考慮される電子機器は、薄型化が図られている。それゆえ、バックライト装置としては、サイドライト型が採用されている。
【０００４】
サイドライト型のバックライト装置は、一般に、光源と、当該光源より照射された光を液晶パネル全域に導く導光板とを備えている。導光板の側部には、光源より照射された光が入射する入射面が形成されている。また、導光板の上部には、入射面より入射した光を出射する出射面が形成されている。光源としては、例えば蛍光ランプが用いられている。光源は、入射面の近傍に配置されている。（例えば、特許文献１参照。）。
【特許文献１】特開平１０−４０８７２号公報
【発明の開示】
【発明が解決しようとする課題】
【０００５】
一方、光源としてＬＥＤ（Ｌｉｇｈｔ−Ｅｍｉｔｔｉｎｇ Ｄｉｏｄｅ）を用いるバックライト装置がある。この種のバックライト装置では、赤色ＬＥＤと、青色ＬＥＤと、緑色ＬＥＤとを１つのハウジング内に収容してＬＥＤパッケージとし、このＬＥＤパッケージを複数用いるものがある。
【０００６】
このように、赤色ＬＥＤと青色ＬＥＤと緑色ＬＥＤとが１つのパッケージにパッケージングされることによって、赤色と青色と緑色とが混色される。それゆえ、ＬＥＤパッケージから照射される光は、白色になる。
【０００７】
上記のように構成されるＬＥＤパッケージの構造を具体的に説明すると、ＬＥＤパッケージは、ハウジングと、赤色ＬＥＤと、青色ＬＥＤと、緑色ＬＥＤとを備えている。
【０００８】
ハウジングは、各ＬＥＤから照射される光が効率よく混色されるように、反射性を有する樹脂で形成されており、周囲を囲む縦壁を有するバスタブ構造である。各ＬＥＤは、ハウジング内に収容されるとともに、各ＬＥＤから照射される光が効率よく混色されるように各ＬＥＤを結ぶ線が略三角形状になるように配置されている。そして、ハウジングの内側は、各ＬＥＤから照射された光が外部へ出るように、透過性を有する樹脂で封止されている。
【０００９】
各ＬＥＤパッケージは、ハウジングにおいて透過性を有する樹脂で封止される部位（縦壁によって囲まれる内側の開口部）が導光板の入射面に向くように、一列に並んで配置されている。
【００１０】
しかしながら、上記構造を有するＬＥＤパッケージを複数一列に並べて用いるバックライト装置では、導光板上に色むらが生じやすくなる。この点について、具体的に説明する。
【００１１】
上記したように、ＬＥＤパッケージのハウジングは、バスタブ構造である。さらに、各ＬＥＤは、これらＬＥＤを結ぶ形状が略三角形状になるように配置されている。このため、各ＬＥＤは、ハウジング内において縦壁のいずれかの部位に寄った位置に配置されている。
【００１２】
この結果、各ＬＥＤを平面視した場合（バックライト装置を上方から見ると）、いずれかのＬＥＤはＬＥＤパッケージが並ぶ方向の一方側に寄って配置されるようになる。例えば赤色ＬＥＤが、各ＬＥＤパッケージが並ぶ方向の一方側に寄って配置されることによって、ＬＥＤパッケージから照射される赤色光の照射範囲を平面視した場合の当該照射範囲の形状は、ハウジングの縦壁においてＬＥＤパッケージが並ぶ方向に赤色ＬＥＤと近い部位と赤色ＬＥＤとを結ぶ線と、縦壁においてＬＥＤパッケージが並ぶ方向に赤色ＬＥＤと離れた部位と赤色ＬＥＤとを結ぶ線とによって規定される。上記のように規定される照射範囲の形状は、各ＬＥＤが並ぶ方向の他方側に偏る形状になる。
【００１３】
しかしながら、上記と反対に、ＬＥＤパッケージを平面視した際にＬＥＤパッケージが並ぶ方向に赤色ＬＥＤと反対側に配置されるＬＥＤ、例えば青色ＬＥＤの照射範囲の形状は、一方側に偏るようになる。
【００１４】
このため、各ＬＥＤパッケージが並ぶ方向の一方側においてＬＥＤパッケージの近傍には赤色光が届きにくくなり、他方側においてＬＥＤパッケージの近傍には青色光が届きにくくなる。
【００１５】
この結果、導光板において各ＬＥＤが並ぶ方向の一方側では、青色光の割合が多くなり、それゆえ、混色がなされにくくなり、色むらが生じやすくなる。同様に、導光板において各ＬＥＤが並ぶ方向の他方側では、赤色光の割合が多くなり、それゆえ、混色がなされにくくなり、色むらが生じやすくなる。
【００１６】
上記では、ＬＥＤパッケージが並ぶ方向に赤色ＬＥＤと青色ＬＥＤとが互いに離間して配置される場合を一例に説明したが、これに限定されない。ハウジング内に収容される複数のＬＥＤのうちいずれかが縦壁のいずれかの部位に寄って配置されることによって、色むらが生じやすくなる。
【００１７】
したがって、本発明の目的は、導光板上に色むらが生じることを抑制できるバックライト装置を提供することである。また、本発明の他の目的は、導光板上に色むらが生じることを抑制できるバックライト装置を備える液晶表示装置を提供することである。
【課題を解決するための手段】
【００１８】
本発明のバックライト装置は、複数のパッケージと、導光板と、を備える。前記導光板は、前記パッケージから照射される光が入射する入射面と、前記入射面から入射した光を外部へ向かって照射する出射面とを備える。前記複数のパッケージは、一方向に並んで複数設置される。前記パッケージは、パッケージ用ハウジングと、複数の光源と、を備える。前記パッケージ用ハウジングは、周囲を囲む縦壁を有する筒状部と、前記筒状部の一端に設けられる底壁部と、前記筒状部の他端に設けられて当該筒状部の内部から外部へ光が通過する通過部とを備える。前記複数の光源は、前記パッケージ用ハウジング内に収容されるとともに前記底壁部に配置されて発光する。前記入射面に対する前記光源の配置の少なくとも一部は、互いに隣り合うパッケージと異なる。
【００１９】
この構造によれば、各パッケージから照射される各光源の照射範囲に偏りが生じても、各パッケージ内の光源の配置の少なくとも一部が互いに隣り合うパッケージどうしで異なることによって、上記偏りが散らばるようになるので、各光源より照射される光が導光板上において効率よく混色されるようになる。
【００２０】
本発明の好ましい形態では、前記複数の光源は、所定の配置パターンにしたがって前記底壁部に配置される。前記各パッケージは、隣り合うパッケージの姿勢に対してパッケージ用ハウジングの軸心線方向周りに相対的に回転する姿勢で設置される。
【００２１】
この構造によれば、同一構造のパッケージを用いることができる。
【００２２】
本発明の液晶表示装置は、液晶表示装置用ハウジングと、液晶パネルと、バックライト装置とを備える。前記液晶パネルは、前記液晶表示装置用ハウジング内に収容される。前記バックライト装置は、前記液晶表示装置用ハウジング内に収容される。前記バックライト装置は、複数のパッケージと、導光板と、を備える。前記導光板は、前記パッケージから照射される光が入射する入射面と、前記入射面から入射した光を外部へ向かって照射する出射面とを備える。前記複数のパッケージは、一方向に並んで複数設置される。前記パッケージは、パッケージ用ハウジングと、複数の光源と、を備える。前記パッケージ用ハウジングは、周囲を囲む縦壁を有する筒状部と、前記筒状部の一端に設けられる底壁部と、前記筒状部の他端に設けられて当該筒状部の内部から外部へ光が通過する通過部とを備える。前記複数の光源は、前記パッケージ用ハウジング内に収容されるとともに前記底壁部に配置されて光を発光する。前記入射面に対する前記光源の配置の少なくとも一部は、互いに隣り合うパッケージと異なる。
【００２３】
この構造によれば、各パッケージから照射される各光源の照射範囲に偏りが生じても、各パッケージ内の光源の配置の少なくとも一部が互いに隣り合うパッケージどうしで異なることによって、上記偏りが散らばるようになるので、各光源より照射される光が導光板上において効率よく混色されるようになる。
【発明の効果】
【００２４】
本発明によれば、導光板上に色むらが生じることが抑制される。
【発明を実施するための最良の形態】
【００２５】
本発明の第１の実施形態に係るバックライト装置を、図１〜１０を用いて説明する。図１は、本実施形態のバックライト装置２０を備えるポータブルＤＶＤ（Digital Video Disc ）プレイヤ１０を、一部分解して示す斜視図である。なお、ポータブルＤＶＤプレイヤ１０は、バックライト装置２０を備える電子機器の一例である。バックライト装置２０は、例えば携帯電話などの他の電子機器に用いられてもよい。
【００２６】
図１に示すように、ポータブルＤＶＤプレイヤ１０は、本体１１と、液晶表示装置１２とを備えている。本体１１は、図示しないディスクを収容する。液晶表示装置１２は、本体１１に取り付けられており、映像を表示する。
【００２７】
図１は、液晶表示装置１２が分解されている状態を示している。液晶表示装置１２は、第１のハウジング１３と、液晶パネル１４と、バックライト装置２０とを備えている。液晶パネル１４とバックライト装置２０とは、第１のハウジング１３内に収容される。第１のハウジング１３は、本発明で言う液晶表示装置用ハウジングの一例である。
【００２８】
液晶表示装置１２が本体１１に対して起立している状態において、前方を向く第１のハウジング１３の前壁部１３ａには、開口部１５が形成されている。第１のハウジング１３は、開口部１５が露出される位置と開口部１５が覆われる位置との間で回動自由に本体１１に連結されている。液晶パネル１４は、スクリーン１６を有している。スクリーン１６は、開口部１５を通して第１のハウジング１３の外部へ露出している。なお、図１中、第１のハウジング１３は、前壁部１３ａが分解されているが、これに限定されない。要するに、第１のハウジング１３は、内側に液晶パネル１４とバックライト装置２０とを収容可能であればよい。
【００２９】
バックライト装置２０は、液晶パネル１４を挟んで開口部１５と反対側に配置されており、液晶パネル１４に対向している。バックライト装置２０は、液晶パネル１４を照射する。図２は、バックライト装置２０を上方から見た状態を示す平面図である。図３は、図２に示されるＦ３―Ｆ３線に沿って示すバックライト装置２０の断面図である。なお、図３中では、液晶パネル１４は、２点鎖線で示されている。図３中の液晶パネル１４とバックライト装置２０との相対位置関係は、第１のハウジング１３内における液晶パネル１４とバックライト装置２０との相対位置関係と同じである。
【００３０】
図２、３に示すように、バックライト装置２０は、第２のハウジング２１と、導光板２２と、反射シート２３と、拡散シート２４と、ライトガイド２５と、光源ユニット３０とを備えている。
【００３１】
図３に示すように、第２のハウジング２１は、液晶パネル１４側が開口する例えば有底箱型である。第２のハウジング２１は、底壁部２６と縦壁部２７とを有している。底壁部２６の平面形状は、略矩形である。縦壁部２７は、底壁部２６の周縁部の全域から立ち上がっている。それゆえ、縦壁部２７と底壁部２６とによって規定される内側の空間の平面形状は、略矩形である。
【００３２】
導光板２２は、第２のハウジング２１内に収容されている。図３に示すように、導光板２２は、後述される光源ユニット３０から照射される光を液晶パネル１４に導く。導光板２２は、入射面２８と出射面２９とを有している。入射面２８は、導光板２２の側部に形勢されており、第２のハウジング２１の内面に対向している。入射面２８には、光源ユニット３０から照射される光が入射される。出射面２９は、導光板２２において液晶パネル１４と対向する部位に形成されている。出射面２９は、入射面２８から入射した光を液晶パネル１４に向かって出射する。
【００３３】
反射シート２３は、底壁部２６の内面に取り付けられており、導光板２２に対向している。拡散シート２４は、導光板２２と液晶パネル１４との間に配置されている。ライトガイド２５は、導光板２２の入射面２８と光源ユニット３０との間に配置されている。
【００３４】
図４は、図３中に示されるＦ４−Ｆ４線に沿って示すバックライト装置２０の断面図である。図４は、光源ユニット３０を正面から見た状態を示している。図２，３，４に示すように、光源ユニット３０は、第２のハウジング２１の内面において導光板２２の入射面２８に対向する位置に設置されており、入射面２８に向かって光を照射する。なお、図４中、入射面２８は、２点鎖線で示されている。光源ユニット３０は、基板３１と、複数のＬＥＤパッケージ３２とを備えている。
【００３５】
図２、３に示すように、基板３１は、第２のハウジング２１の内面において導光板の入射面２８と対向する位置に固定されている。図４に示すように、各ＬＥＤパッケージ３２は、基板３１上に１列に配置されている。なお、各ＬＥＤパッケージ３２の基板３１上における詳細な配置構造については、後で詳細に説明する。
【００３６】
図５は、図４中に示されるＦ５の範囲を拡大して示している。図５は、１つのＬＥＤパッケージ３２を示す正面図である。図５に示すように、ＬＥＤパッケージ３２は、第３のハウジング３３と、赤色ＬＥＤ３４と、青色ＬＥＤ３５と、緑色ＬＥＤ３６とを備えている。なお、各ＬＥＤパッケージ３２の構造は、同じであるので、１つのＬＥＤパッケージ３２の構造を代表して説明する。
【００３７】
図６は、図５中に示されるＦ６−Ｆ６線に沿って示すＬＥＤパッケージ３２の断面図である。図６に示すように、第３のハウジング３３は、一端が開口する例えば箱型状のハウジング本体３７と、封止部３８とを備えている。第３のハウジング３３は、本発明で言うパッケージ用ハウジングの一例である。
【００３８】
ハウジング本体３７は、底壁部３９と、縦壁部４０とを有している。図５に示すように、底壁部３９の平面形状は、略矩形である。縦壁部４０は、底壁部３９の周縁全域から立ち上がっている。それゆえ、縦壁部４０は、筒状であるとともに、縦壁部４０によって規定されるハウジング本体３７の内側空間の平面形状は、略矩形である。縦壁部４０は、本発明で言う筒状部の一例である。ハウジング本体３７は、非透過性の樹脂で形成されており、内側から外側へ向かって光を通さない。
【００３９】
赤色ＬＥＤ３４は、赤色光を出力する。青色ＬＥＤ３５は、青色光を出力する。緑色ＬＥＤ３６は、緑色光を出力する。赤色ＬＥＤ３４と青色ＬＥＤ３５と緑色ＬＥＤ３６とは、ハウジング本体３７の内側に収容されている。赤色ＬＥＤ３４と青色ＬＥＤ３５と緑色ＬＥＤ３６の平面形状は、例えば矩形である。ＬＥＤ３４,３５,３６は、各々を結ぶ線が略三角形状になるように配置されており、底壁部３９に固定されている。
【００４０】
ＬＥＤ３４，３５，３６の配置について具体的に説明する。まず、縦壁部４０は、第１の内面４１と、第２の内面４２と、第３の内面４３と、第４の内面４４とを有している。第１の内面４１は、図５中上方に位置している。第２の内面４２は、図中右側に位置している。第３の内面４３は、図５中下方に位置している。第４の内面４４は、図５中左側に位置している。
【００４１】
赤色ＬＥＤ３４は、第２の内面４２と第３の内面４３とによって規定される角部４５の近傍に配置されている。青色ＬＥＤ３５は、第３の内面４３と第４の内面４４とによって規定される角部４６の近傍に配置されている。赤色ＬＥＤ３４と青色ＬＥＤ３５とは、第３の内面４３に沿って並んでいる。緑色ＬＥＤ３６は、第１の内面４１と赤色ＬＥＤ３４および青色ＬＥＤ３５の間であって、第１の内面４１の中央に対向する位置に配置されている。
【００４２】
言い換えると、緑色ＬＥＤ３６の近傍に位置する内面を第１の内面４１とし、赤色ＬＥＤ３４の近傍に位置する内面を第２，３の内面４２，４３とし、青色ＬＥＤ３５の近傍に位置する内面を第３，４の内面４３，４４とする。このように、各ＬＥＤパッケージ３２において各ＬＥＤ３４，３５，３６は、同一の配置パターンを有する。
【００４３】
図６は、第１の内面４１側から赤色ＬＥＤ３４と青色ＬＥＤ３５とを見た状態を示す断面図である。図７は、図５中に示されるＦ７−Ｆ７線に沿って示すＬＥＤパッケージ３２の断面図である。図７は、第３の内面４３側から緑色ＬＥＤ３６を見た状態示すＬＥＤパッケージ３２の断面図である。
【００４４】
図６、７に示すように、緑色ＬＥＤ３６と赤色ＬＥＤ３４と青色ＬＥＤ３５とは、配線４７を介して基板３１に電気的に接続されている。
【００４５】
図６に示すように、封止部３８は、ハウジング本体３７の内側を封止している。封止部３８は、透過性を有しており、各ＬＥＤ３４，３５，３６から出力された光がハウジング本体３７の開口部４８から外部へ出ることを妨げない。封止部３８は、透明または拡散性を有するエポキシまたはシリコーン系の樹脂で形成され、本発明で言う通過部として機能する。
【００４６】
つぎに、各ＬＥＤパッケージ３２の基板３１上での配置および姿勢について説明する。本実施形態では、図２、４に示すように、例えば５個のＬＥＤパッケージ３２が用いられている。なお、図２中、ＬＥＤパッケージ３２と基板３１とは、一部切断された状態が示されている。各ＬＥＤパッケージ３２は、封止部３８が導光板２２の入射面２８に対向するように基板３１上に固定されるとともに、入射面２８に沿って一列に並んでいる。
【００４７】
図４に示すように、基板３１上において互いに隣り合うＬＥＤパッケージ３２の姿勢は、異なる。具体的に説明すると、図中一端部５０（各ＬＥＤパッケージ３２が並ぶ方向に沿った一端部）に配置されるＬＥＤパッケージ３２は、例えば緑色ＬＥＤ３６が第２のハウジング２１の開口部４９側に向くように配置されている。
【００４８】
他のＬＥＤパッケージ３２の姿勢は、他端部５１（各ＬＥＤパッケージ３２が並ぶ方向に沿った他端部）側隣りにずれるに従い、ハウジング本体３７の軸心線５２周りに１８０度回転する姿勢になる。なお、軸心線５２は、図中点で示されている。つまり、各ＬＥＤパッケージ３２が並ぶ方向に互いに隣り合うＬＥＤパッケージ３２どうしは、第３のハウジング３３の軸心線５２周りに相対的に１８０度回転した姿勢で配置されている。それゆえ、光源ユニット３０では、第２のハウジング２１の開口部４９側に第１の内面４１と第３の内面４３とが交互に並ぶように、ＬＥＤパッケージ３２が配置されている。
【００４９】
この結果、入射面２８に対する各ＬＥＤパッケージ３２の各ＬＥＤ３４，３５，３６の配置は、隣り合うＬＥＤパッケージ３２どうしで、互いに異なるようになる。
【００５０】
上記のように配置される各ＬＥＤパッケージ３２から照射される光（緑色ＬＥＤ３６と赤色ＬＥＤ３４と青色ＬＥＤ３５とから照射される光のうち封止部３８を通して外部へ出る光）は、導光板２２の入射面２８に照射される。
【００５１】
つぎに、封止部３８を通して外部へ照射される各ＬＥＤ３４，３５，３６の光の照射範囲を、第２のハウジング２１の開口部４９側から見た形状を説明する。上記したように、各ＬＥＤパッケージ３２は、第１の内面４１または第３の内面４３のいずれかが開口部４９側に位置している。
【００５２】
それゆえ、各ＬＥＤパッケージ３２から照射される光の照射範囲を開口部４９側から見た形状は、各ＬＥＤパッケージ３２から照射される光を、第１の内面４１から見た形状と同じである。また、第１の内面４１と第３の内面４３とは、互いに対向する。したがって、ＬＥＤパッケージ３２から照射される光の照射範囲を第３の内面４３側から見た形状は、第１の内面４１側から見た形状と同じである。
【００５３】
図７は、緑色ＬＥＤ３６の照射範囲を第３の内面４３側から見た形状を示している。ＬＥＤパッケージから照射される緑色ＬＥＤ３６の照射範囲を第３の内面４３側から見た形状は、緑色ＬＥＤ３６と、第２，４の内面４２，４４の縁５３，５４とを結ぶ第１，２の線５５，５６によって規定される。照射範囲は、第１，２の線５５，５６によって囲まれる範囲である。
【００５４】
図７に示すように、かつ、上記したように、緑色ＬＥＤ３６は、第１，３の内面４１，４３の略中央に対向する位置に配置されている。それゆえ、緑色ＬＥＤ３６と第２の内面４２の縁５３とを結ぶ第１の線５５と、緑色ＬＥＤ３６と第４の内面４４の縁５４とを結ぶ第２の線５６とは、緑色ＬＥＤ３６を挟んで互いに対称になる。
【００５５】
この結果、ＬＥＤパッケージ３２から照射される緑色ＬＥＤ３６の照射範囲を第３の内面４３側から見た形状は、第２，４の内面４２，４４側ともに同様に外側に広がる形状となる。なお、ここで言う外側とは、緑色ＬＥＤ３６から第２，４の内面４２，４４に向かう方向である。
【００５６】
図６は、赤色ＬＥＤ３４と青色ＬＥＤ３５の照射範囲を第１の内面４１側から見た形状を示している。赤色ＬＥＤ３４の照射範囲を第１の内面４１側からみた形状は、赤色ＬＥＤ３４と第２，４の内面４２，４４の縁５３，５４とを結ぶ第３，４の線５７，５８によって規定される。照射範囲は、第３，４の線５７，５８によって囲まれる範囲である。第３，４の線５７，５８は、一点鎖線で示されている。
【００５７】
図６に示すように、かつ、上記したように、赤色ＬＥＤ３４は、第２の内面４２に寄った位置に配置されている。それゆえ、赤色ＬＥＤ３４と第２の内面４２の縁５３とを結ぶ第３の線５７に対して、赤色ＬＥＤ３４と第４の内面４４の縁５４とを結ぶ第４の線５８は、大きく傾斜している。この結果、赤色ＬＥＤ３４の照射範囲を第１の内面４１側から見た形状は、第４の内面４４側に偏る形状になる。
【００５８】
青色ＬＥＤ３５の照射範囲を第１の内面４１側からみた形状は、青色ＬＥＤ３５と第２，４の内面４２，４４の縁５３，５４とを結ぶ第５，６の線５９，６０によって規定される。照射範囲は、第５，６の線５９，６０によって囲まれる範囲である。第５，６の線５９，６０は、点線で示されている。
【００５９】
図６に示すように、かつ、上記したように、青色ＬＥＤ３５は、第４の内面４４に寄った位置に配置されている。それゆえ、青色ＬＥＤ３５と第４の内面４４の縁５４とを結ぶ第６の線６０に対して、青色ＬＥＤ３５と第２の内面４２の縁５３とを結ぶ第５の線５９は、大きく傾斜している。この結果、青色ＬＥＤ３５の照射範囲を第１の内面４１側から見た形状は、第２の内面４２側に偏る形状になる。
【００６０】
つぎに、各ＬＥＤパッケージ３２から照射される各ＬＥＤ３４，３５，３６の光のうちライトガイド２５内および導光板２２内に入射した光の分布を説明する。
【００６１】
図８は、各ＬＥＤパッケージ３２から照射された緑色光のライトガイド２５および導光板２２内での分布の一例を示している。なお、図８では、ライトガイド２５および導光板２２内で反射したものは図示していない。また、図８では、ＬＥＤパッケージ３２と基板３１とは、緑色ＬＥＤ３６の位置をわかりやすくするために、一部切断された状態が示されている。図８に示すように、緑色ＬＥＤ３６は、第１，３の内面４１，４３の略中央部分に対向する位置に配置されるので、ライトガイド２５と導光板２２内を略均等に照射する。
【００６２】
各ＬＥＤパッケージ３２から照射される緑色光は、導光板２２の一端部５０と他端部５１とにおいて光源ユニット３０側の端部まで照射されるように考慮されている。具体的には、第３のハウジング３３と緑色ＬＥＤ３６の相対形状、相対位置などが考慮されている。例えば、緑色ＬＥＤ３６の位置に対する第３のハウジング３３の縦壁部４０の縁５３，５４の位置などである。
【００６３】
図９は、各ＬＥＤパッケージ３２から照射された赤色光のライトガイド２５および導光板２２内での分布の一例を示している。なお、図９中では、ライトガイド２５および導光板２２内で反射したものは図示していない。図９に示すように、一端部５０に配置されているＬＥＤパッケージ３２は、第４の内面４４が他端部５１側に寄る姿勢で配置されている。それゆえ、一端部５０に配置されているＬＥＤパッケージ３２から照射する赤色光の照射範囲は、第４の内面４４側、つまり、他端部５１側に偏っている。
【００６４】
他端部５１側へ１つずれた位置に配置されるＬＥＤパッケージ３２は、第２の内面４２が他端部５１側に寄る姿勢で配置されている。それゆえ、当該ＬＥＤパッケージ３２から照射される赤色光の照射範囲は、一端部５０側に偏る。
【００６５】
さらに他端部５１側へ１つずれた位置に配置されるＬＥＤパッケージ３２は、第２の内面４２が一端部５０側に寄る姿勢で配置される。それゆえ、当該ＬＥＤパッケージ３２から照射される赤色光の照射範囲は、他端部５１側に偏る。
【００６６】
さらに他端部５１側へ１つずれた位置に配置されるＬＥＤパッケージ３２は、第２の内面４２が他端部５１側に寄る姿勢で配置される。それゆえ、当該ＬＥＤパッケージ３２から照射される赤色光の照射範囲は、一端部５０側に偏る。
【００６７】
他端部５１に配置されるＬＥＤパッケージ３２は、第２の内面４２が一端部５０側に寄る姿勢で配置される。それゆえ、当該ＬＥＤパッケージ３２から照射される赤色光の照射範囲は、他端部５１側に偏る。
【００６８】
なお、各ＬＥＤパッケージ３２から照射される赤色光は、互いに隣り合うパッケージ３２どうしが相対的に１８０度回転する姿勢で配置されることによって、導光板２２の一端部５０と他端部５１とにおいて光源ユニット３０側端部まで照射されるように考慮されている。具体的には、第３のハウジング３３と赤色ＬＥＤ３４の相対形状、相対位置などが考慮されている。例えば、赤色ＬＥＤ３４の位置に対する第３のハウジング３３の縦壁部４０の縁５３，５４の位置などである。
【００６９】
上記のように、各ＬＥＤパッケージ３２から照射される赤色光が一端部５０側と他端部５１側とに交互に偏ることによって、導光板２２内において光源ユニット３０側に近い部分の一端部５０側と他端部５１側とに赤色光が行き渡るようになる。
【００７０】
さらに、図示されていないが、各ＬＥＤパッケージ３２から照射される赤色光が反射することによって、導光板２２内では、赤色光がより一層行き渡るようになる。
【００７１】
図１０は、各ＬＥＤパッケージ３２から照射された青色光のライトガイド２５および導光板２２内での分布の一例を示している。なお、図１０中では、ライトガイド２５および導光板２２内で反射したものは図示していない。図１０に示すように、一端部５０に配置されているＬＥＤパッケージ３２は、第２の内面４２が一端部５０側に寄る姿勢で配置されている。それゆえ、一端部５０に配置されているＬＥＤパッケージ３２から照射する青色光の照射範囲は、一端部５０側に偏っている。
【００７２】
他端部５１側へ１つずれた位置に配置されるＬＥＤパッケージ３２は、第２の内面４２が他端部５１側に寄る姿勢で配置されている。それゆえ、当該ＬＥＤパッケージ３２から照射される青色光の照射範囲は、他端部５１側に偏る。
【００７３】
さらに他端部５１側へ１つずれた位置に配置されるＬＥＤパッケージ３２は、第２の内面４２が一端部５０側に寄る姿勢で配置される。それゆえ、当該ＬＥＤパッケージ３２から照射される青色光の照射範囲は、一端部５０側に偏る。
【００７４】
さらに、他端部５１側へ１つずれた位置に配置されるＬＥＤパッケージ３２は、第２の内面４２が他端部５１側に寄る姿勢で配置される。それゆえ、当該ＬＥＤパッケージ３２から照射される青色光の照射範囲は、他端部５１側に偏る。
【００７５】
他端部５１に配置されるＬＥＤパッケージ３２は、第２の内面４２が一端部５０側に寄る姿勢で配置される。それゆえ、当該ＬＥＤパッケージ３２から照射される青色光の照射範囲は、一端部５０側に偏る。
【００７６】
なお、各ＬＥＤパッケージ３２から照射される青色光は、互いに隣り合うパッケージ３２どうしが相対的に１８０度回転する姿勢で配置されることによって、導光板２２の一端部５０と他端部５１とにおいて光源ユニット３０側端部まで照射されるように考慮されている。具体的には、第３のハウジング３３と青色ＬＥＤ３５の相対形状、相対位置などが考慮されている。例えば、青色ＬＥＤ３５の位置に対する第３のハウジング３３の縦壁部４０の縁５３，５４の位置などである。
【００７７】
上記のように、各ＬＥＤパッケージ３２から照射される青色光が一端部５０側と他端部５１側とに交互に偏ることによって、導光板２２内において光源ユニット３０に近い部分の一端部５０側と他端部５１側とに青色光が行き渡るようになる。
【００７８】
さらに、図示されていないが、各ＬＥＤパッケージ３２から照射される青色光が反射することによって、導光板２２内では、青色光がより一層いき渡るようになる。
【００７９】
上記のように、赤色光と青色光と緑色光とが導光板２２の５３一端部５０と他端部５１において光源ユニット３０に近い部分に充分に行き渡るようになる。この結果、導光板２２において、赤色光と青色光と緑色光とは、むらなく混色するようになる。
【００８０】
このように構成されるバックライト装置２０では、ＬＥＤパッケージ３２の各ＬＥＤ３４，３５，３６の導光板２２の入射面２８に対する位置は、互いに隣り合うＬＥＤパッケージ３２どうしで異なる。このため、例えば本実施形態のように、各ＬＥＤパッケージ３２において赤色ＬＥＤ３４の照射範囲や青色ＬＥＤ３５の照射範囲に偏りがあっても、この偏りが散らばるようになるので、導光板２２において一端部５０近傍の光源ユニット３０側端部と他端部５１近傍の光源ユニット３０側端部とに各色の光が充分に行き渡るようになる。それゆえ、導光板２２では、一端部５０近傍の光源ユニット３０側端部と他端部５１近傍の光源ユニット３０側端部とで、各色の混色が充分なされるようになるので、導光板２２上（出射面２９上）に色むらが生じにくくなる。
【００８１】
さらに、本実施形態では、入射面２８に対する各ＬＥＤパッケージ３２の各ＬＥＤ３４，３５，３６の配置が、互いに隣り合うＬＥＤパッケージ３２どうしで全て異なる。それゆえ、導光板２２上での混色がより一層効率よく行われるので、色むらが生じにくくなる。
【００８２】
また、各ＬＥＤパッケージ３２は、各ＬＥＤ３４，３５，３６の配置が同一の配置パターンを有する同一構造である。そして、互いに隣り合うＬＥＤパッケージ３２は、その軸心線５２周りに相対的に回転した姿勢で配置されている。このことによって、互いに隣り合う各ＬＥＤパッケージ３２の各ＬＥＤ３４，３５，３６の入射面２８に対する配置は、互いに異なるようになる。
【００８３】
このように、各ＬＥＤパッケージ３２を基板３１上に固定する際に、各ＬＥＤパッケージ３２の姿勢を調整するだけでよいので、同一構造のＬＥＤパッケージ３２を用いることによって装置全体の構造が簡素になるとともに、導光板２２上の色むらの発生を抑制することができる。
【００８４】
また、互いに隣り合うＬＥＤパッケージ３２が相対的に１８０度回転する姿勢で固定されることによって、赤色光の照射範囲の偏りと青色光の照射範囲の偏りが交互に入れ替わるようになる。それゆえ、導光板２２上の色むらの発生をより一層効果的に抑制することができる。
【００８５】
つぎに、本発明の第２の実施形態に係るバックライト装置２０を、図１１を用いて説明する。なお、第１の実施形態と同様な機能を有する構成は、同一の符号を付して説明を省略する。本実施形態では、互いに隣り合うＬＥＤパッケージ３２の軸心線５２周りの相対回転角度が、第１の実施形態と異なる。他の構造は、第１の実施形態と同様であってよい。上記異なる点について具体的に説明する。
【００８６】
図１１は、本実施形態の光源ユニット３０を示す正面図である。図１１に示すように、本実施形態では、隣り合うＬＥＤパッケージ３２は、相対的に９０度回転する姿勢で配置される。なお、各ＬＥＤパッケージ３２の回転方向は、同一方向である。本実施形態であっても、各ＬＥＤ３４，３５，３６が照射する光の偏りが散らばるようになるので、第１の実施形態と同様な効果を得ることができる。
【００８７】
つぎに、本発明の第３の実施形態に係るバックライト装置２０を、図１２を用いて説明する。なお、第１の実施形態と同様な機能を有する構成は、同一の符号を付して説明を省略する。本実施形態では、互いに隣り合うＬＥＤパッケージ３２の軸心線５２周りの相対回転角度が、第１の実施形態と異なる。他の構造は、第１の実施形態と同様であってよい。上記異なる点について具体的に説明する。
【００８８】
図１２は、本実施形態の光源ユニット３０を示す正面図である。図１２に示すように、本実施形態では、隣り合うＬＥＤパッケージ３２は、相対的に３０度回転する姿勢で配置される。なお、各ＬＥＤパッケージ３２の回転方向は、同一方向である。本実施形態であっても、各ＬＥＤ３４，３５，３６が照射する光の偏りが散らばるようになるので、第１の実施形態と同様な効果を得ることができる。
【００８９】
つぎに、本発明の第４の実施形態に係るバックライト装置２０を、図１３を用いて説明する。なお、第１の実施形態と同様な機能を有する構成は、同一の符号を付して説明を省略する。本実施形態では、互いに隣り合うＬＥＤパッケージ３２の軸心線５２周りの相対回転角度が、第１の実施形態と異なる。他の構造は、第１の実施形態と同様であってよい。上記異なる点について、具体的に説明する。
【００９０】
図１３は、本実施形態の光源ユニット３０を示す正面図である。図１３に示すように、本実施形態では、隣り合うＬＥＤパッケージ３２は、相対的に６０度回転する姿勢で配置される。なお、各ＬＥＤパッケージ３２の回転方向は、同一方向である。本実施形態であっても、各ＬＥＤ３４，３５，３６が照射する光の偏りが散らばるようになるので、第１の実施形態と同様な効果を得ることができる。
【００９１】
なお、第１〜４の実施形態では、ＬＥＤパッケージ３２は、開口部４８が封止部３８によって封止されているが、これに限定されない。例えば開口部４８は、封止部３８によって封止されていなくてもよい。この場合、開口部４８が本発明で言う通過部となる。
【００９２】
また、第１〜４の実施形態では、隣り合うＬＥＤパッケージ３２が１８０度、９０度、３０度、６０度ずつ回転する例を示したが、これに限定されない。隣り合うＬＥＤパッケージ３２は、軸心線５２回りに同一方向に１２０度、１５０度、２１０度、２４０度、２７０度、３００度、３３０度回転してもよい。この場合であっても第１〜４の実施形態と同様の効果を得ることができる。
【００９３】
要するに、隣り合うＬＥＤパッケージ３２は、軸心線５２回りに３０×ｎ（ｎは１，２，３，４，５，６，７，８，９，１０，１１）度で示される角度を回転することによって、第１〜４の実施形態と同様の効果得ることができる。
【００９４】
また、第１〜４の実施形態では、パッケージ３２は、３つの光源（緑色ＬＥＤ３６と、赤色ＬＥＤ３４と、青色ＬＥＤ３５）とを備えている。しかしながら、これに限定されない。たとえば、光源を４つ備えていてもよい。この場合の一例としては、１つの赤色ＬＥＤ３４と、１つの青色ＬＥＤ３５と、２つの緑色ＬＥＤ３６とを備えることが考えられる。
【図面の簡単な説明】
【００９５】
【図１】本発明の第１の実施形態に係るバックライト装置を備えるポータブルＤＶＤプレイヤを、一部分解して示す斜視図。
【図２】図中１に示されたバックライト装置を示す平面図。
【図３】図２中に示されるＦ３―Ｆ３線に沿って示すバックライト装置の断面図。
【図４】図３中に示されるＦ４−Ｆ４線に沿って示すバックライト装置の断面図。
【図５】図４中に示されるＦ５の範囲を拡大して示す正面図。
【図６】図５中に示されるＦ６−Ｆ６線に沿って示すＬＥＤパッケージの断面図。
【図７】図５中に示されるＦ７−Ｆ７線に沿って示すＬＥＤパッケージの断面図。
【図８】図２に示された各ＬＥＤパッケージから照射された緑色光のライトガイドおよび導光板内での分布の一例を示す平面図。
【図９】図２に示された各ＬＥＤパッケージから照射された赤色光のライトガイドおよび導光板内での分布の一例を示す平面図。
【図１０】図２に示された各ＬＥＤパッケージから照射された青色光のライトガイドおよび導光板内での分布の一例を示す平面図。
【図１１】本発明の第２の実施形態に係るバックライト装置の光源ユニットを示す正面図。
【図１２】本発明の第３の実施形態に係るバックライト装置の光源ユニットを示す正面図。
【図１３】本発明の第４の実施形態に係るバックライト装置の光源ユニットを示す正面図。
【符号の説明】
【００９６】
１２…液晶表示装置、１３…第１のハウジング（液晶表示装置用ハウジング）、２０…バックライト装置、２２…導光板、２８…入射面、２９…出射面、３２…ＬＥＤパッケージ（パッケージ）、３３…第３のハウジング（パッケージ用ハウジング）、３４…赤色ＬＥＤ（光源）、３５…青色ＬＥＤ（光源）、３６…緑色ＬＥＤ（光源）、３８…封止部（通過部）、５２…軸心線。
【図１】
2008186802.tif 000003
【図２】
2008186802.tif 000004
【図３】
2008186802.tif 000005
【図４】
2008186802.tif 000006
【図５】
2008186802.tif 000007
【図６】
2008186802.tif 000008
【図７】
2008186802.tif 000009
【図８】
2008186802.tif 000010
【図９】
2008186802.tif 000011
【図１０】
2008186802.tif 000012
【図１１】
2008186802.tif 000013
【図１２】
2008186802.tif 000014
【図１３】
2008186802.tif 000015